(57)【特許請求の範囲】
【請求項１】
携帯無線機本体の側面に設けられるＵＣポートとその上面に設けられるアンテナ・ポートとの係合によって前記携帯無線機本体に連結されて、前記アンテナ・ポートからのアンテナ出力をアンテナ付きハンドマイクに導くためのコネクタであって、前記アンテナ・ポートに取り付けられるアダプタと、前記アダプタに係合される揺動キャップを有すると共に前記ＵＣポートに接続される部分を有するコネクタ本体とで構成され、前記アダプタは、その下部に前記アンテナ・ポートに接続されるアンテナ・ポート接続端子を有し、その上面に、前記揺動キャップの内底面から突出する、前記ハンドマイクのアンテナに接続される接点ピンに接触するコネクタ本体接続端子を有することを特徴とするコネクタ。
【請求項２】
前記アダプタは、その中間部に水密シール用のＯリングを有する請求項１に記載のコネクタ。
【請求項３】
前記アダプタは、その中間部にガスケットを有する請求項１に記載のコネクタ。
【請求項４】
前記アダプタは、その上面中央部に、その周縁部から絶縁されていて前記周縁部と面一のコネクタ本体接続端子を有する請求項１に記載のコネクタ。
【請求項５】
前記揺動キャップはアームを有し、前記アームは、前記コネクタ本体の上面に形成されたアーム支持部に軸支される請求項１に記載のコネクタ。
【請求項６】
前記アダプタはその下半部にローレット付きのナット環を備え、前記ナット環は、前記アダプタの下半部に対し上下方向に摺動可能である請求項１に記載のコネクタ。
【請求項７】
前記揺動キャップの下半部に、前記ナット環の抜止め手段が設置される請求項６に記載のコネクタ。
【発明の詳細な説明】
【技術分野】
【０００１】
本発明はアンテナ付きハンドマイクのケーブルを携帯無線機本体へ接続するためのコネクタ、より詳細には、アンテナ付きハンドマイクの高周波同軸ケーブルを、携帯無線機本体のＵＣポート及びアンテナ・ポートへ同時に接続するためのコネクタに関するものである。
【背景技術】
【０００２】
携帯無線機の代表的アクセサリーとして、ハンドマイク（通称ＲＳＭ（Ｒｅｍｏｔｅ  Ｓｐｅａｋｅｒ  Ｍｉｃｒｏｐｈｏｎｅ））と、アンテナ付きハンドマイク（通称ＰＳＳＭ（Ｐｕｂｌｉｃ  Ｓａｆｅｔｙ  Ｓｐｅａｋｅｒ  Ｍｉｃｒｏｐｈｏｎｅ））とがある。このうち、ＰＳＳＭは、主に警察や消防等の業務用として好まれ、利用されているが、当然それ自体にＲＦ送信用アンテナが必要であり、無線機本体からＰＳＳＭまで、アンテナ出力を減衰させずに導くことが求められる。【０００３】
旧来の携帯無線機においては、上面にアンテナ・ポート５１が設けられると共に、側面に、種々のオーディオアクセサリーを取り付けるためのＵＣ（Ｕｎｉｖｅｒｓａｌ  Ｃｏｎｎｅｃｔｏｒ）ポート５２が設けられ、このＵＣポート５２にＰＳＳＭのためのアンテナ端子５３が含まれていた（図８参照）。【０００４】
この構成の場合は、このＵＣポート５２にＰＳＳＭのコネクタを接続することにより、アンテナ出力が上面のアンテナ・ポート５１からＵＣポート５２のアンテナ端子５３に切り替えられ、ケーブルを経てＰＳＳＭのアンテナに導かれる。この上面のアンテナ・ポート５１からＵＣポート５２のアンテナ端子５３への出力切り替えは、例えば、コネクタ側の突子によってＵＣポート５２のアンテナ端子５３を押し込んで、内部スイッチを切り替えることによって行なわれる。【０００５】
しかるに、ＰＳＳＭの需要はそれ程多くないこともあり、製品コストを抑えるために、最近の携帯無線機のＵＣポートには、アンテナ端子５３が設けられていない。そこで、ＰＳＳＭ利用者のために、上面のアンテナ端子５１からアンテナ出力をとるためのオプション部品も考えられているが、それは無線機本体と変わらない程高価なものであるため、一般に受け入れられていない。【０００６】
比較的低価格のものとして、図９に示すものが提案された。それは、コネクタ５４のケーブル接続部に腕付きケーブル支持部材５５を設け、腕付きケーブル支持部材５５の腕部５６に、アンテナ・ポート５１にネジ付け固定する、複数の部品から成るアンテナ接続部材５７を設置したものである。【０００７】
アンテナ接続部材５７は、アンテナ・ポート５１にネジ付け固定されるピンプラグ５８と、腕部５６に設置され、真上からピンプラグ５８に接続される連結部材５９とから成る。そして、接続時において、連結部材５９から突出している接続ピンが、ピンプラグ５８側のソケットに挿入される。【０００８】
この構成の場合、コネクタ５４を無線機本体に取り付けた後、連結部材５９を真上からピンプラグ５８に係止させるが、その係止構造が複雑となり、また、腕付きケーブル支持部材５５が可撓性に乏しく、且つ、連結部材５９をピンプラグ５８に向けて垂直に移動させることが難しいため、接続操作は容易ではなく、しかも、接続後、各所に無理な力がかかるおそれがあって、耐久性に問題があるという欠点がある。【０００９】
また、腕付きケーブル支持部材５５が大きく且つ上方に突出して邪魔になるだけでなく、その部分が何かに当たったり、ケーブルが引っ張られたりした場合に横方向に衝撃を受けて、特にアンテナ・ポート５１に固定されているピンプラグ５８部分が破損しやすいという問題があった。また、アンテナ出力は、複数の部品及び半田付け部分を含むアンテナ接続部材５７を介して取り出すために、減衰しやすく、更には、アンテナ・ポート５１部分における防水性不備の点も指摘されていた。
【特許文献１】特開２００１−３２０３９６号公報
【発明の開示】
【発明が解決しようとする課題】
【００１０】
このように、従来提唱されているＰＳＳＭへのアンテナ出力取得のためのコネクタ構造には、大きくて邪魔になり、接続操作が容易ではなく、耐久性や防水性に問題があるだけでなく、使用される部品点数が多いことから、アンテナ出力が減衰しやすいという問題があった。【００１１】
本発明は、このような従来のコネクタが有する問題を解決するためになされたもので、アンテナ・ポート及びＵＣポートへの接続を、簡単な操作で堅牢、且つ、十分な防水性を持たせて行うことができ、部品点数を最小限に止めることで、アンテナ出力の減衰を極力抑えることができる、コンパクトで比較的低廉な、ＰＳＳＭのケーブル端を携帯無線機本体へ接続するためのコネクタを提供することを課題とする。
【課題を解決するための手段】
【００１２】
上記課題を解決するための請求項１に係る発明は、携帯無線機本体の側面に設けられるＵＣポートとその上面に設けられるアンテナ・ポートとの係合によって前記携帯無線機本体に連結されて、前記アンテナ・ポートからのアンテナ出力をアンテナ付きハンドマイクに導くためのコネクタであって、前記アンテナ・ポートに取り付けられるアダプタと、前記アダプタに係合される揺動キャップを有すると共に前記ＵＣポートに接続される部分を有するコネクタ本体とで構成され、前記アダプタは、その下部に前記アンテナ・ポートに接続されるアンテナ・ポート接続端子を有し、その上面に、前記揺動キャップの内底面から突出する、前記ハンドマイクのアンテナに接続される接点ピンに接触するコネクタ本体接続端子を有することを特徴とするコネクタである。【００１３】
好ましい実施形態においては、前記アダプタは、その中間部に水密シール用のＯリングを有すると共に、その中間部にガスケットを有し、更に、前記アダプタは、その上面中央部に、その周縁部から絶縁されていて前記周縁部と面一のコネクタ本体接続端子を有する。【００１４】
また、他の好ましい実施形態においては、前記揺動キャップはアームを有し、前記アームは、前記コネクタ本体の上面に形成されたアーム支持部に軸支され、前記アダプタはその下半部にローレット付きのナット環を備え、前記ナット環は前記アダプタの下半部に対し上下方向に摺動可能にされ、更に前記揺動キャップの下半部に、前記ナット環の抜止め手段が設置される。
【発明の効果】
【００１５】
本発明に係るコネクタにおいては、アンテナ・ポートにネジ付けたアダプタに接続する部分が小さくて、コネクタ本体から大きく突出しないために邪魔にならず、しかもその部分の接続は揺動可能な揺動キャップを介して行なうので、アンテナ・ポート及びＵＣポートへの接続が容易で、ハンドマイクのケーブルが引っ張られて、コネクタ接合部に無理な力が加わっても、簡単に外れたり、部品が破損したりすることがない。【００１６】
また、本発明に係るコネクタは、アンテナ・ポート部分に十分な防水手段を備えているので、一時的水没程度までの防水性及び耐水性を付与することができ、雨に晒されたりするようなことがあっても、携帯無線機本体及びハンドマイク双方に悪影響を及ぼすことがない。
【発明を実施するための最良の形態】
【００１７】
次に、本発明を実施するための最良の形態につき、添付図面に依拠して説明する。先ず、本発明に係るコネクタの第１の実施例を図１乃至図３を参照して説明する。図１は、本発明に係るコネクタ１を無線機本体３に接続した状態の正面図、図２はコネクタ本体７の正面図、図３は、コネクタ１１を無線機本体３に接続した状態の要部断面図である。【００１８】
本発明に係るコネクタ１は、アンテナ付きハンドマイクのケーブル２を携帯用無線機本体３のアンテナ・ポート４及びＵＣポート５に接続するためのものであり、ハンドマイクのケーブル２の端部に接続されるコネクタ本体７と、コネクタ本体７とは別体のアダプタ８、８ａとによって構成される。アンテナ・ポート４には、アンテナをネジ付けるためのメネジが切られている。【００１９】
図３乃至図７に示されるように、アダプタ８、８ａは、その下端がアンテナ・ポート接続端子１１となり、その上端がコネクタ本体接続端子１２となるものであって、アンテナ・ポート接続端子１１側が無線機本体３のアンテナ・ポート４に接続される。【００２０】
無線機本体３のアンテナ・ポート４は、機種によって仕様が異なり、アダプタ８、８ａはその仕様に合わせる必要があるが、通例、図４及び図５に示すピンプラグタイプのものと、図６及び図７に示すソケットタイプのものの何れかで対応できる。【００２１】
図４及び図５に示すピンプラグタイプのアダプタ８は、上半の大径部及び下半の小径部にオネジ部１４、１５を設けたスリーブ１３と、スリーブ１３の中間部に嵌め付けられる樹脂製のシール環１６とを備えて成る。上方のオネジ部１４は、後述するコネクタ本体７側との接続用であり、下方のオネジ部１５は、アダプタ８をアンテナ・ポート４にネジ込み固定するためのものである。【００２２】
スリーブ１３には、その下端から絶縁材１７を介在させてピン１８が挿入される。ピン１８の上端にはコネクタ本体接続端子１２が取り付けられ、その周囲に、ピン１８及びコネクタ本体接続端子１２を、アース側となるスリーブ１３から絶縁するための絶縁材２０が装填される。また、オネジ部１４の下端部を取り巻くように、Ｏリング２１が配置される。Ｏリング２１は、オネジ部１４の下側に形成された段部１３ａ上に支持される。【００２３】
図６及び図７に示すソケットタイプのアダプタ８ａは、アダプタ８と同様の目的で、上半の大径部及び下半の小径部にオネジ部１４、１５を設けたスリーブ１３と、スリーブ１３の中間部に嵌め付けられる樹脂製のシール環１６とを備える。このアダプタ８ａの下半小径部は、アダプタ８の下半小径部よりも短いものとなる。【００２４】
スリーブ１３には、その下端面から、絶縁材１７ａが被装されたソケットピン２２が挿入される。ソケットピン２２の上端にはコネクタ本体接続端子１２が取り付けられ、その周囲に絶縁材２０が装填される。また、段部１３ａに支持されて、オネジ部１４の下端部を取り巻くようにＯリング２１が配置される。ソケットピン２２には、アンテナ・ポート４への取付時に、アンテナ・ポート４内において上向きに突出している接続ピン（図示してない）が進入する。【００２５】
次いで、図１乃至図３を参照しつつ、コネクタ本体７の構成について説明する。コネクタ本体７は、ＵＣポート５の端子群に対応する接続ピン群を備えていて、ＵＣポート５を覆うようにしてそこに固定される点は、従来のものと変わりはない。その固定方法に何通りかあることも、従来と同様である。【００２６】
図示した固定方法は、コネクタ本体７下部に設けた図示せぬ係止部をＵＣポート５に設けた図示せぬ突部に引掛けた後、コネクタ本体７の上部に配備した回動ロック手段２４のフックを、無線機本体３の上面角部に設けた凹陥部に引掛ける方法である。この状態で、更にネジ止めすることもある。【００２７】
コネクタ本体７の上面には、ケーブル支持部１９が設置されると共に、アーム支持部２５が突設され、そこに、揺動キャップ２６のアーム２７が、軸２８を介して回動可能に設置される。【００２８】
揺動キャップ２６には、ケーブル２に接続されたリード線がアーム支持部２５を介して引き込まれ、該リード線に接続された接点ピン３０が、図示せぬバネで付勢されて、揺動キャップ２６の内底面において出没可能となるように配設される。また、接点ピン３０を囲むように、接点ピン３０とは絶縁された円筒状端子２９が、やはり図示せぬバネで付勢されて、揺動キャップ２６の内底面において出没可能となるように設置される。接点ピン３０は、アダプタ８、８ａのコネクタ本体接続端子１２の上面に接触し、円筒状端子３１は、アース側となるスリーブ１３の上面に接触することになる。【００２９】
揺動キャップ２６の下半部には、ローレット付きナット環２９が、揺動キャップ２６の下半部に対して上下方向に摺動可能に装着される。ナット環２９は上端に内向きフランジ２９ａを有していて、これが揺動キャップ２６の下端に設けられた外向きフランジに係止されることにより、揺動キャップ２６からの脱落が防止される（図３参照）。【００３０】
上記構成の本コネクタを無線機本体３に取り付けるに当っては、先ず、アダプタ８、８ａを無線機本体３のアンテナ・ポート４にネジ付けて固定する。次いで、コネクタ本体７を、回動ロック手段２４等の手段を介してＵＣポート５に固定する。【００３１】
コネクタ本体７をＵＣポート５に固定した状態において、揺動キャップ２６は、垂直方向に揺動可能状態にてアダプタ８、８ａの真上に位置する。そこで、揺動キャップ２６のナット環２９を、そのローレットを持って引下げてアダプタ８、８ａに被せ、そのままネジ込んでいく。この操作は、ナット環２９が揺動キャップ２６に対して上下動可能であると共に、揺動キャップ２６自体が揺動可能であるため、容易且つ迅速に行なうことができる。【００３２】
このようにしてナット環２９を緊締することにより、コネクタの取付完了となるが、特に揺動キャップ２６が揺動可能であるため、この緊締状態において各締付部には無理な力がかからない。また、コネクタ本体７とアダプタ８、８ａとの連結を、揺動キャップ２６を介して行なうため、その連結部分を、邪魔にならないコンパクトな構成とすることができる。【００３３】
かかるコネクタの取付状態において、ナット環２９がアダプタ８、８ａのＯリング２１を強圧するため、その部分の十分な水密性が確保され、また、アダプタ８、８ａがアンテナ・ポート４に緊締されることにより、ガスケット１６がアンテナ・ポート４の周縁に密着し、以て、一時的水没に耐え得る程度の水密性が確保される。【００３４】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３５】
【図１】本発明に係るコネクタを無線機本体に接続した状態の正面図である。
【図２】本発明に係るコネクタにおけるコネクタ本体の正面図である。
【図３】本発明に係るコネクタを無線機本体に接続した状態の要部断面図である。
【図４】本発明に係るコネクタにおけるアダプタの一例を示す斜視図である。
【図５】図４に示すアダプタの縦断面図である。
【図６】本発明に係るコネクタにおけるアダプタの他の例を示す、上方視及び下方視斜視図である。
【図７】図６に示すアダプタの縦断面図である。
【図８】従来のアンテナ端子を備えた携帯無線機の一例を示す斜視図である。
【図９】従来のアンテナ・ポートからアンテナ出力を取る機能を備えたコネクタの例を示す斜視図である。
【図１】
0004648974.tif 000002
【図２】
0004648974.tif 000003
【図３】
0004648974.tif 000004
【図４】
0004648974.tif 000005
【図５】
0004648974.tif 000006
【図６】
0004648974.tif 000007
【図７】
0004648974.tif 000008
【図８】
0004648974.tif 000009
【図９】
0004648974.tif 000010